(57)【要約】【課題】  種々のカメラあるいはビデオカメラで用いるように設定された一つの取り付け装置の提供。【解決手段】  シューはカメラあるいはビデオカメラユニットの底面に取り付けられる。シューは取り外し可能であり、取り付け手段の上面にある対応する凹部の中央に取り付けられるように、寸法を合わせて作られている。シューは、カメラあるいはビデオカメラの底面にはめ込むための位置決めピンおよびネジ接続手段で構成される。位置決めピンがビデオカメラの底面の受容収納部の所在を確認すると、シューはネジ接続手段により所定の位置に固定される。シューは取り付け手段に取り付けられ、シューのカム面と相互作用させるためにスプリング偏向カムロックを解放することにより所定の位置に固定される。【選択図】        図１
2004226959.tif 000002
【特許請求の範囲】
【請求項１】
カメラあるいはビデオカメラと補助装置との間で、カメラあるいはビデオカメラを前記装置に取り付けるために用いる一つの取り付け装置であって、ここで前記取り付け装置が、
カメラあるいはビデオカメラとの接続のための一つのシュー、
台座かみ合い中に前記シューを受容する凹部を持つ、補助装置との接続のための取り付け手段および
前記シューを、前記凹部中で前記取り付け手段に固定するための前記シューと取り付け手段との間のカム手段
より成ることを特徴とする取り付け装置。
【請求項２】
請求項１記載の取り付け装置であって、ここで前記カム手段が、前記取り付け手段に、中間に小径部位を持つスプリング偏向ピンを包含し、前記スプリング偏向ピンの一端が、前記ピンが縮められその後解放された時に、前記シューの傾斜したカム面の上に横たわるようになっていることを特徴とする取り付け装置。
【請求項３】
請求項２記載の取り付け装置であって、ここで前記シューの上面が、前記シューを前記カメラに取り付けるためのネジ部品を含むことを特徴とする取り付け装置。
【請求項４】
請求項３記載の取り付け装置であって、ここで前記シューの上面が、前記カメラあるいはビデオカメラにネジ部品を位置決めするための位置決めピンを含むことを特徴とする取り付け装置。
【請求項５】
請求項４記載の取り付け装置であって、ここで前記取り付け手段の底面が、前記取り付け装置を補助装置に取り付けるための、切断面がＴ形状のスライド部材を含むことを特徴とする取り付け装置。
【請求項６】
請求項１記載の取り付け装置であって、ここで前記シューの上面が、前記シューを前記カメラに取り付けるためのネジ部品を含むことを特徴とする取り付け装置。
【請求項７】
請求項６記載の取り付け装置であって、ここで前記シューの上面が、前記カメラあるいはビデオカメラにネジ部品を位置決めするための位置決めピンを含むことを特徴とする取り付け装置。
【請求項８】
請求項１記載の取り付け装置であって、ここで前記取り付け手段の底面が、前記取り付け装置を補助装置に取り付けるための、切断面がＴ形状のスライド部材を含むことを特徴とする取り付け装置。
【請求項９】
カメラあるいはビデオカメラに取り付けられ、カメラあるいはビデオカメラを固定するための補助装置の取り付け手段に取り付けられるようになっている一つのシューであって、ここで前記シューが、
前記シューを前記取り付け手段に固定するためのカム手段
より成り、また前記カム手段が、
前記取り付け手段に、中間に小径部位を持つスプリング偏向ピン
を包含し、前記スプリング偏向ピンの一端が、前記ピンが縮められその後解放された時に、前記シューの傾斜したカム面の上に横たわるようになっていることを特徴とするシュー。
【請求項１０】
一つのシューであって、ここで前記シューの上面が、前記シューを前記カメラに取り付けるためのネジ部品を含むことを特徴とするシュー。
【請求項１１】
一つのシューであって、ここで前記シューの上面が、前記カメラあるいはビデオカメラにネジ部品を位置決めするための位置決めピンを含むことを特徴とするシュー。
【請求項１２】
カメラあるいはビデオカメラを補助装置に取り付けるために、カメラあるいはビデオカメラのシューと共同して働くようになっている、カメラあるいはビデオカメラを固定するための補助装置の一つの取り付け手段であって、ここで前記取り付け手段が、
前記取り付け手段を前記シューに固定するためのカム手段
より成り、また前記カム手段が、
前記取り付け手段に、中間に小径部位を持つスプリング偏向ピン
を包含し、前記スプリング偏向ピンの一端が、前記ピンが縮められその後解放された時に、前記シューの傾斜したカム面の上に横たわるようになっていることを特徴とする取り付け手段。
【請求項１３】
請求項１０記載のシューを取り付け可能な一つの取り付け手段であって、ここで前記取り付け手段の底面が、前記取り付け装置を補助装置に取り付けるための、横断面がＴ形状のスライド部材を含むことを特徴とする取り付け手段。
【発明の詳細な説明】
【技術分野】
【０００１】
本出願は、２００３年１月２１日に出願された合衆国仮出願番号６０／４４１３６５の優先権を主張する。
【０００２】
本発明は、補助固定装置および支持体にカメラあるいはビデオカメラを固定するための取り付け装置に関する。
【背景技術】
【０００３】
特許文献１および特許文献２に例示されたような、補助装置の取り付け手段に接続されるカメラのシューを用いて、カメラあるいはビデオカメラを補助運搬・固定装置に取り付ける種々の試みがなされてきた。しかし、前記装置のいずれもが、シューとカメラの限定された相対的な調整を提供するに過ぎず、あるいは不安定であって、望ましくない相対的な動きを許してしまう。
【特許文献１】合衆国特許番号５２６０７３１号
【特許文献２】合衆国特許番号５８９００２５号
【発明の開示】
【発明が解決しようとする課題】
【０００４】
従って本発明は、種々のカメラあるいはビデオカメラで用いるように設定された、カメラあるいはビデオカメラを安定に固定する一つの取り付け装置を提供することを目的とする。
【課題を解決するための手段】
【０００５】
本発明は、下記構成を備えることにより上記課題を解決できるものである。
【０００６】
（１）カメラあるいはビデオカメラと補助装置との間で、カメラあるいはビデオカメラを前記装置に取り付けるために用いる一つの取り付け装置であって、ここで前記取り付け装置が、
カメラあるいはビデオカメラとの接続のための一つのシュー、
台座かみ合い中に前記シューを受容する凹部を持つ、補助装置との接続のための取り付け手段および
前記シューを、前記凹部中で前記取り付け手段に固定するための前記シューと取り付け手段との間のカム手段
より成ることを特徴とする取り付け装置。
【０００７】
（２）前記（１）記載の取り付け装置であって、ここで前記カム手段が、前記取り付け手段に、中間に小径部位を持つスプリング偏向ピンを包含し、前記スプリング偏向ピンの一端が、前記ピンが縮められその後解放された時に、前記シューの傾斜したカム面の上に横たわるようになっていることを特徴とする取り付け装置。
【０００８】
（３）前記（２）記載の取り付け装置であって、ここで前記シューの上面が、前記シューを前記カメラに取り付けるためのネジ部品を含むことを特徴とする取り付け装置。
【０００９】
（４）前記（３）記載の取り付け装置であって、ここで前記シューの上面が、前記カメラあるいはビデオカメラにネジ部品を位置決めするための位置決めピンを含むことを特徴とする取り付け装置。
【００１０】
（５）前記（４）記載の取り付け装置であって、ここで前記取り付け手段の底面が、前記取り付け装置を補助装置に取り付けるための、切断面がＴ形状のスライド部材を含むことを特徴とする取り付け装置。
【００１１】
（６）前記（１）記載の取り付け装置であって、ここで前記シューの上面が、前記シューを前記カメラに取り付けるためのネジ部品を含むことを特徴とする取り付け装置。
【００１２】
（７）前記（６）記載の取り付け装置であって、ここで前記シューの上面が、前記カメラあるいはビデオカメラにネジ部品を位置決めするための位置決めピンを含むことを特徴とする取り付け装置。
【００１３】
（８）前記（１）記載の取り付け装置であって、ここで前記取り付け手段の底面が、前記取り付け装置を補助装置に取り付けるための、切断面がＴ形状のスライド部材を含むことを特徴とする取り付け装置。
【００１４】
（９）カメラあるいはビデオカメラに取り付けられ、カメラあるいはビデオカメラを固定するための補助装置の取り付け手段に取り付けられるようになっている一つのシューであって、ここで前記シューが、
前記シューを前記取り付け手段に固定するためのカム手段
より成り、また前記カム手段が、
前記取り付け手段に、中間に小径部位を持つスプリング偏向ピン
を包含し、前記スプリング偏向ピンの一端が、前記ピンが縮められその後解放された時に、前記シューの傾斜したカム面の上に横たわるようになっていることを特徴とするシュー。
【００１５】
（１０）一つのシューであって、ここで前記シューの上面が、前記シューを前記カメラに取り付けるためのネジ部品を含むことを特徴とするシュー。
【００１６】
（１１）一つのシューであって、ここで前記シューの上面が、前記カメラあるいはビデオカメラにネジ部品を位置決めするための位置決めピンを含むことを特徴とするシュー。
【００１７】
（１２）カメラあるいはビデオカメラを補助装置に取り付けるために、カメラあるいはビデオカメラのシューと共同して働くようになっている、カメラあるいはビデオカメラを固定するための補助装置の一つの取り付け手段であって、ここで前記取り付け手段が、
前記取り付け手段を前記シューに固定するためのカム手段
より成り、また前記カム手段が、
前記取り付け手段に、中間に小径部位を持つスプリング偏向ピン
を包含し、前記スプリング偏向ピンの一端が、前記ピンが縮められその後解放された時に、前記シューの傾斜したカム面の上に横たわるようになっていることを特徴とする取り付け手段。
【００１８】
（１３）前記（１０）記載のシューを取り付け可能な一つの取り付け手段であって、ここで前記取り付け手段の底面が、前記取り付け装置を補助装置に取り付けるための、横断面がＴ形状のスライド部材を含むことを特徴とする取り付け手段。
【発明の効果】
【００１９】
以上説明したように、本発明によれば、種々のカメラあるいはビデオカメラを補助装置に安定に取り付けることが可能であり、また、カメラあるいはビデオカメラと補助装置とを迅速に解除あるいは接続することが可能となる。
【発明を実施するための最良の形態】
【００２０】
本発明にしたがって、一つの取り付け装置は、種々のカメラあるいはビデオカメラで用いるように設定され、そこでシューはカメラあるいはビデオカメラの底面とかみ合う。シューは、取り外し可能であり、取り付け手段の上面にある対応する凹部の中央に取り付けられるように、寸法を合わせて作られている。シューは、カメラあるいはビデオカメラの底面にはめ込むための位置決めピンおよびネジ接続手段で構成される。位置決めピンがビデオカメラの底面の受容収納部の所在を確認すると、シューはネジ接続手段により所定の位置に固定される。この取り付け装置は、カメラあるいはビデオカメラの迅速な解除あるいは接続を提供する。
【００２１】
シューは取り付け手段に取り付けられ、シューのカム面と相互作用させるためにスプリング偏向カムロックを解放することにより所定の位置に固定される。管状溝は、肩帯等の補助装置上の取り付け装置（すなわちカメラあるいはビデオカメラ）の位置を水平面に調節するための補助装置に設けられた相補的な垂直管状溝とかみ合わせるために、取り付け手段の底面に備えられる。
【００２２】
本発明のさらなる目的および利点は、以下の説明、請求の範囲および添付図面からより明らかとなるであろう。
【実施例１】
【００２３】
図面を詳細に参照するにあたって、図面全体において同じ数字は同じ部位を示す。図１は、取り付け装置７２の斜視図である。取り付け装置７２は、シュー７４を、本出願と同じ譲受人に譲渡され、同時に出願された同時係属出願番号１０／４３１９１２、発明の名称「カメラおよびビデオカメラを固定するための肩装着型支持装置」に示されているように、ビデオカメラあるいはカメラの底面と接続するように設定される。取り付け手段の底面は、補助装置、例えばカメラあるいはビデオカメラを安定させるための肩帯に取り付けることができる。肩帯もまた同時係属出願中で示され、その開示は参照としてここに組み込まれる。
【００２４】
図１で示されるように、シュー７４は取り外し可能であり、取り付け手段７６の上面７５にある対応するＬ形状凹部７３の中央に取り付けられるように、寸法を合わせて作られている。シュー７４は、ネジ接続手段８０をカメラあるいはビデオカメラの底面にあるネジ受容収納部（図示せず）にネジ接続できるように、カメラあるいはビデオカメラの底面にある開口部（図示せず）に収容される位置決めピン７８で構成される。シューの上面は、カメラの底面との摩擦接触のための磨耗パッド８１、８３を持つ。
【００２５】
いったんカメラあるいはビデオカメラに取り付けられると、シュー７４は、取り付け手段７６に取り付けられ、スプリング偏向カムロック８４により所定の位置に維持され得る。カムロック８４は、図６および７に示されるように、スロット８７内に閉じ込められた状態のスプリング偏向ピン８５を包含する。ピン８５の頭部８９を、図６に示されたスプリング９５の偏りに逆らって内側に押すことにより、ピン８５の下部を切り取ったあるいはより細い直径の部分９３は、シュー７４の突出カム面８２と隣接した位置に置かれ、したがってシュー７４は、凹部７３内に完全に置くことができる。頭部８９の解放により、図７に示されるように、ピン軸あるいは本体のより太い勾配付き部位９７は下向きに傾斜した突出カム面８２の一部に接触することが可能となり、シューを脱離方向への動きに逆らって固定することができる。
【００２６】
取り付け手段７６の底面は、取り付け手段７６の底面９０に沿って、切断面がＴ形状の棒状体７７を備え、前記棒状体７７は、我々の同時係属出願に示されるように、水平方向でのＸおよびＹ方向のスライド調節手段を用いた操作者の目に対するビデオカメラあるいはカメラのファインダの位置合わせを最適にするために、ビデオカメラあるいはカメラの取り付け用金具に取り付けられる水平スライドアセンブリ（図示せず）に接続される。
【図面の簡単な説明】
【００２７】
【図１】本発明にしたがった取り付け装置の分解斜視図
【図２】単一のシューの平面図
【図３】取り付け手段の平面図
【図４】取り付け装置の分解側面図
【図５】取り付け装置斜視図
【図６】シューの挿入前の取り付け手段中のカムロックの位置を断面で示すために一部を切断した、図３と同様の図
【図７】シューが取り付け手段に固定された場合のカムロックの位置を断面で示すために一部を切断した、取り付け装置の平面図
【符号の説明】
【００２８】
７２  取り付け装置
７３  Ｌ形状凹部
７４  シュー
７５  取り付け手段上面
７６  取り付け手段
７７  切断面Ｔ形状棒状体
７８  位置決めピン
８０  ネジ接続手段
８１  磨耗パッド
８２  突出カム面
８３  磨耗パッド
８４  スプリング偏向カムロック
８５  スプリング偏向ピン
８７  スロット
８９  スプリング偏向ピン頭部
９０  取り付け手段底面
９５  スプリング
【図１】
2004226959.tif 000003
【図２】
2004226959.tif 000004
【図３】
2004226959.tif 000005
【図４】
2004226959.tif 000006
【図５】
2004226959.tif 000007
【図６】
2004226959.tif 000008
【図７】
2004226959.tif 000009